(57)【要約】【課題】リレー記録により複数の記録媒体に記録されたデータが、それぞれ異なる送信先に転送されたり、または一部のみが送信されたりすることを防止する。【解決手段】複数の記録媒体を着脱可能なデータ記録装置は、第１の媒体装着部に装着された記録媒体と第２の媒体装着部に装着された記録媒体とを用いて、データのリレー記録を行う。データ記録装置は、第１および第２の媒体装着部に装着された記録媒体がともにデータを無線で送信する無線通信機能を有し、且つ、前記無線通信機能によるデータの送信先が同一である、という条件を満足するか否かを判定し、条件を満足すると判定されなかった場合には上記リレー記録の実行中における上記無線通信機能の実行を禁止し、条件を満足すると判定された場合には上記リレー記録の実行中における上記無線通信機能の実行を許可する。【選択図】  図５
2013030847.tif 000002
【特許請求の範囲】
【請求項１】
複数の記録媒体を着脱可能なデータ記録装置であって、
第１の媒体装着部に装着された記録媒体と第２の媒体装着部に装着された記録媒体とを用いて、データのリレー記録を行う記録手段と、
前記第１および第２の媒体装着部に装着された記録媒体がともにデータを無線で送信する無線通信機能を有し、且つ、前記無線通信機能によるデータの送信先が同一である、という条件を満足するか否かを判定する判定手段と、
前記条件を満足すると判定されなかった場合には前記リレー記録の実行中における前記無線通信機能の実行を禁止し、前記条件を満足すると判定された場合には前記リレー記録の実行中における前記無線通信機能の実行を許可する制御手段と、を備えることを特徴とするデータ記録装置。
【請求項２】
ユーザの操作により前記無線通信機能の実行の許可／禁止を設定する設定手段を更に備え、
前記制御手段は、前記設定手段により前記無線通信機能の禁止が設定されていた場合は、前記判定手段による判定の結果に関わらず前記無線通信機能の実行を禁止する、ことを特徴とする請求項１に記載のデータ記録装置。
【請求項３】
前記第１および第２の媒体装着部に装着されている記録媒体の前記無線通信機能におけるデータの送信先が異なる場合に、一方の記録媒体に設定されている送信先を他方の記録媒体に設定されている送信先に変更する変更手段を更に備え、
前記制御手段は、前記変更手段により前記一方の記録媒体に設定されている送信先が変更された後、前記無線通信機能の実行を許可する、ことを特徴とする請求項１または２に記載のデータ記録装置。
【請求項４】
前記変更手段は、前記リレー記録において次に使用される記録媒体に設定されている送信先を、該リレー記録において先に使用される記録媒体に設定されている送信先に変更することを特徴とする請求項３に記載のデータ記録装置。
【請求項５】
被写体を撮像して前記データを取得する撮像手段を更に備えることを特徴とする請求項１乃至４のいずれか１項に記載のデータ記録装置。
【請求項６】
複数の記録媒体を装着可能なデータ記録装置の制御方法であって、
記録手段が、第１の媒体装着部に装着された記録媒体と第２の媒体装着部に装着された記録媒体とを用いて、データのリレー記録を行う工程と、
判定手段が、前記第１および第２の媒体装着部に装着された記録媒体がともにデータを無線で送信する無線通信機能を有し、且つ、前記無線通信機能によるデータの送信先が同一である、という条件を満足するか否かを判定する工程と、
制御手段が、前記条件を満足すると判定されなかった場合には前記リレー記録の実行中における前記無線通信機能の実行を禁止し、前記条件を満足すると判定された場合には前記リレー記録の実行中における前記無線通信機能の実行を許可する工程と、を有することを特徴とするデータ記録装置の制御方法。
【請求項７】
複数の記録媒体を装着可能なデータ記録装置のコンピュータにより実行されるプログラムであって、前記コンピュータに、
第１の媒体装着部に装着された記録媒体と第２の媒体装着部に装着された記録媒体とを用いて、データのリレー記録を行う工程と、
前記第１および第２の媒体装着部に装着された記録媒体がともにデータを無線で送信する無線通信機能を有し、且つ、前記無線通信機能によるデータの送信先が同一である、という条件を満足するか否かを判定する工程と、
前記条件を満足すると判定されなかった場合には前記リレー記録の実行中における前記無線通信機能の実行を禁止し、前記条件を満足すると判定された場合には前記リレー記録の実行中における前記無線通信機能の実行を許可する工程と、を実行させるためのプログラム。
【発明の詳細な説明】
【技術分野】
【０００１】
本発明は、複数のメモリカードに続けてデータを記録するリレー記録機能を有するデータ記録装置及びその制御方法に関する。
【背景技術】
【０００２】
複数のメモリカードに続けてデータを記録するリレー記録機能を有するデータ記録装置として、複数の記録媒体に跨って動画像記録を続けるリレー記録機能を有するビデオカメラが製品化されている。この種のビデオカメラでは、たとえば２つのメモリカードを同時に装着可能であり、リレー記録機能を有効にするとこれら２つのメモリカードに連続して動画像や音声の記録が行なわれる。
【０００３】
一方、特許文献１によれば、無線通信手段を有するメモリカード、すなわち、無線機能付メモリカードに関する技術が記載されている。たとえば、特定のファイル名を有するファイルがメモリカード内に記録されると、予めメモリカード内に設定されている送信先に該ファイルを自動的に無線送信する無線機能付メモリカードが製品化されている。
【先行技術文献】
【特許文献】
【０００４】
【特許文献１】特開２００２−００９６９０号公報
【発明の概要】
【発明が解決しようとする課題】
【０００５】
メモリカードを着脱するメモリカードインターフェースを２つ以上備え、前述のリレー記録機能を有するビデオカメラにおいて、無線機能付メモリカードを装着すると以下のような課題が生じる。
【０００６】
例えば、ビデオカメラに装着されたメモリカードのうち、一方が無線機能付メモリカードで、他方が無線機能なしのメモリカードであった場合を考える。この場合、無線機能付メモリカードに記録されたデータは送信されるが、無線機能なしのメモリカードに記録されたデータは送信されない。従って、上記のような場合にリレー記録が行われると、シーンの一部のみが無線送信されてしまうことになる。また、リレー記録に用いられるメモリカードがともに無線機能付メモリカードであっても、それぞれに設定されている送信先が異なる場合は、リレー記録の実行により異なる送信先にシーンが分かれて送信されてしまうことになる。
【０００７】
本発明は、上記課題に鑑みてなされたものであり、リレー記録により複数の記録媒体に記録されたデータが、それぞれ異なる送信先に転送されたり、または一部のみが送信されたりすることを防止することを目的とする。
【課題を解決するための手段】
【０００８】
上記の目的を達成するための本発明の一態様による画像記録装置は以下の構成を備える。即ち、
複数の記録媒体を着脱可能なデータ記録装置であって、
第１の媒体装着部に装着された記録媒体と第２の媒体装着部に装着された記録媒体とを用いて、データのリレー記録を行う記録手段と、
前記第１および第２の媒体装着部に装着された記録媒体がともにデータを無線で送信する無線通信機能を有し、且つ、前記無線通信機能によるデータの送信先が同一である、という条件を満足するか否かを判定する判定手段と、
前記条件を満足すると判定されなかった場合には前記リレー記録の実行中における前記無線通信機能の実行を禁止し、前記条件を満足すると判定された場合には前記リレー記録の実行中における前記無線通信機能の実行を許可する制御手段と、を備える。
【発明の効果】
【０００９】
本発明によれば、リレー記録により複数の記録媒体に記録されたデータが、それぞれ異なる送信先に転送されたり、または一部のみが送信されたりすることが防止される。
【図面の簡単な説明】
【００１０】
【図１】実施形態によるビデオカメラの構成例を説明する図。
【図２】無線機能付メモリカードを説明する図。
【図３】無線機能付メモリカードからサーバへのデータ転送を説明する図。
【図４】リレー記録を説明する図。
【図５】第１実施形態による処理を説明するフローチャート。
【図６】第２実施形態による処理を説明するフローチャート。
【図７】第３実施形態による処理を説明するフローチャート。
【発明を実施するための形態】
【００１１】
以下、図面を参照しながら本発明の好適な実施の形態を説明する。
【００１２】
（第１実施形態）
＜ビデオカメラ構成＞
図１に本実施形態によるデータ記録装置の一例であるデジタルビデオカメラの構成ブロック図を示す。
１０１はレンズユニットであり、集光のための固定レンズ群、変倍レンズ群、絞り、補正レンズ群を含む。補正レンズ群は、変倍レンズ群の動きで移動した結像位置を補正する機能と焦点調節を行う機能とを兼ね備える。１０２は撮像素子であり、被写体を撮影して光学像を電気信号に変換し、ビデオデータを取得する。１０３はカメラ信号処理回路であり、撮像素子１０２によって生成される電気信号に対し所定の色変換処理、縮小処理など画像処理を行い、出力先に適した画像データを出力する。
【００１３】
１０５はビデオ信号処理回路であり、カメラ信号処理回路１０３や、後述する圧縮伸張回路１０６からの画像データを受け、各ブロックに適した画像処理を行い出力するものである。また、ビデオ信号処理回路１０５はビットマップと、機器の状態、警告、各種設定画面等の表示とを重畳して表示することができる。
【００１４】
１０６は圧縮伸張回路であり、画像データをＭＰＥＧ２（Moving PictureExperts Group phase 2）方式にて圧縮し、後述のバス１２１を介して後述のメモリ１１４に圧縮ビデオデータを書き出す。また、圧縮伸張回路１０６は、メモリ１１４に格納された圧縮ビデオデータを読み込み、画像データに再生し、ビデオ信号処理回路に出力する機能も兼ね備えている。
【００１５】
１１１はマイクロコンピュータであり、本実施形態のビデオカメラにおけるシステム全体の制御を行う。１１３はフラッシュＲＯＭであり、マイクロコンピュータ１１１が実行するプログラム、及び各種パラメータなどが格納されている書き換え可能不揮発性メモリである。１１４はメモリであり、マイクロコンピュータ１１１や圧縮伸張回路１０６などが作業領域として使用する揮発性メモリである。１１５はメモリカードインターフェース（以下、カードＩ／Ｆ）であり、記録媒体をビデオカメラに着脱可能に装着するための媒体装着部を構成する。１１６は記録媒体の一例としてのメモリカードである。カードＩ／Ｆ１１５は、装着されたメモリカード１１６との間でコマンドやデータを送受信する。メモリカード１１６は、例えばＳＤカードのようなカード型メモリカードであり、圧縮伸張回路１０６で生成された圧縮ビデオデータを、ＦＡＴファイルシステムなどコンピュータと互換のある所定フォーマットに従って記録するための記録媒体である。
【００１６】
１１７はメモリカードインターフェース（以下、カードＩ／Ｆ）、１１８はメモリカードであり、それぞれカードＩ／Ｆ１１５、メモリカード１１６と同様の構成である。また、カードＩ／Ｆ１１５，１１７に装着可能なメモリカード１１６、１１８としては、後述の無線機能付メモリカード（無線メモリカード２０１と称する）が含まれる。以上のように本実施形態では、第１の媒体装着部、第２の媒体装着部を有し、これら媒体装着部に装着されたメモリカード間でリレー記録が実施される構成を説明するが、媒体装着部は３つ以上であってもかまわない。
【００１７】
１０７は液晶パネルであり、ビデオ信号処理回路１０５から画像データを受け表示させるためのものである。また特に図示していないが、音声についても、マイクユニット、スピーカといった外部入出力経路が設けられており、画像と共に圧縮伸張回路１０６にて圧縮、多重化される。１１２は操作スイッチ群であり、ユーザが操作入力するためのものである。また操作スイッチ群１１２には、主としてカメラ撮影を行うためのカメラモード、主として再生させるための再生モード、及び電源オフとするパワーオフモードを選択するためのスイッチも設けられている。１２１はバスであり、上述した各部を通信可能に接続する。
【００１８】
＜無線機能付メモリカードについて＞
次に無線機能付メモリカードについて図２を用いて説明する。
２０１は無線機能付メモリカード（以下、無線メモリカード２０１）である。２０２は外部インターフェース部であり、カードＩ／Ｆ１１５、１１６と接続し、通信するためのインターフェースである。２０３は制御部であり、無線メモリカード２０１の全体を制御する。２０４はメモリ部であり、外部から受信するデータを記録する不揮発性メモリである。２０５は制御部２０３の指示に従い無線接続可能な機器、サーバ等とデータ転送を行う無線通信部である。２０６は電波を送受信するためのアンテナである。
【００１９】
無線メモリカード２０１では、制御部２０３により以下のような機能、動作が実現される。
・メモリカードが無線機能を有するか否かを判定する問い合わせが、外部インターフェース部２０２を介してホスト側から受信されると、無線メモリカード２０１は、自身が無線機能付メモリカードであることをホストに通知する。なお、ホストは無線メモリカードのモデル名やＩＤを受信し、そこから無線機能付きメモリカードであるか否かを判断してもよい。
・無線通信部２０５、アンテナ２０６を介してデータを送信する際の送信先をメモリ部２０４に記録する。なお、無線メモリカード２０１は、外部インターフェース部２０２を介してホスト側から送信先を受信し、自機に設定する。この送信先は、ユーザがパソコンと専用アプリケーションソフトウエアなどの対応機器を用いて指定するものである。
・設定された送信先は外部インターフェース部２０２を介してホスト側で読み出し可能である。よって、ビデオカメラ側でも挿入された無線メモリカード２０１の送信先がどこであるかを知ることができる。
【００２０】
また、制御部２０３は、メモリ部２０４に外部インターフェース部２０２を介して記録されるデータを解析する。そして、制御部２０３は、記録されるデータのファイル名が所定条件を満たすとき、メモリ部２０４に記録されている送信先に自動的にファイル転送を行う。ここで、所定条件とは、拡張子がＪＰＧ、ＭＰＧ等画像情報を示すファイル名であることとする。またディレクトリも所定条件の一部としても良い。更に、外部インターフェース部２０２を介してホスト側で無線通信を許可、または禁止することができる。
【００２１】
前述の無線機能付メモリカードを装着したビデオカメラとサーバについて、図３を用いて説明する。図３において、３０１はネットワークであり、３０２はアクセスポイントである。アクセスポイント３０２は端末間で通信接続するための電波中継機である。３０３は図１で説明したビデオカメラである。３０４、３０５はネットワーク３０１に接続するサーバである。
【００２２】
無線メモリカード２０１をビデオカメラ３０３に装着すると、無線メモリカード２０１は、アクセスポイント３０２を介してネットワーク３０１に接続する。例えば送信先をサーバ３０４に設定され、画像記録を行うと、無線メモリカード２０１の自動送信機能によって画像ファイルがサーバ３０４に送信される。同様に、送信先をサーバ３０５に設定されている無線メモリカード２０１ではサーバ３０５に画像ファイルが送信されることとなる。なお、図３に示した構成は一例であり、例えばビデオカメラ３０３から特定のサーバに画像ファイルを送信し、特定のサーバが記録先に応じたサーバに画像ファイルを転送してもよい。
【００２３】
＜リレー記録について＞
次に、本実施形態のビデオカメラによるリレー記録について図４を用いて説明する。図４において、Ｔ１、Ｔ２、Ｔ３は時刻であり、４０１、４０２は前述の圧縮ビデオデータである。図４の例において、ビデオカメラは時刻Ｔ１で動画記録を開始し、まずメモリカードＡ（例えばメモリカード１１６）に圧縮ビデオデータ４０１を記録していく。時刻Ｔ２の時点でメモリカードＡの残量がなくなったが記録停止指示がないため、ビデオカメラはメモリカードＢ（例えばメモリカード１１８）に圧縮ビデオデータの記録を続ける。こうして、メモリカードＢには、圧縮ビデオデータ４０１の続きである圧縮ビデオデータ４０２が記録される。このように、本実施形態のリレー記録では、メモリカードの残量が所定以下となったときに、動画記録を停止することなく他方のメモリカードに圧縮ビデオデータの記録を継続する。なお、リレー記録を行うか否かは、メニューなどからユーザ操作を介して設定することが可能である。
【００２４】
ここで、例えば、２枚の無線メモリカード２０１がビデオカメラ３０３に装着され、一方の無線メモリカードの送信先がサーバ３０４、他方の無線メモリカードの送信先がサーバ３０５というように異なっている場合を考える。このような場合に上述したようなリレー記録が実行されると、圧縮ビデオデータ４０１、４０２が一つの連続したシーンであるにもかかわらず、それぞれのビデオデータが別々のサーバ（本例ではサーバ３０４と３０５）に転送されてしまうこととなる。
【００２５】
以下、上述のような課題を解決するための本実施形態によるビデオカメラによる制御を、図５のフローチャートを用いて説明する。マイクロコンピュータ１１１は、リレー記録設定の切り替えに際して、図５に示されるステップＳ５０１からの一連の制御を実行する。まず、ステップＳ５０２において、マイクロコンピュータ１１１は、リレー記録設定がＯＮに設定されているか否かを判定する。マイクロコンピュータ１１１は、リレー記録設定がＯＮに設定されている場合はステップＳ５０３へ、リレー記録設定がＯＦＦに設定されている場合はステップＳ５０６へそれぞれ処理を遷移させる。
【００２６】
ステップＳ５０３、Ｓ５０４では、所定の条件に基づいて、リレー記録の実行中における無線メモリカードの無線通信機能の実行可否が判定される。まず、ステップＳ５０３において、マイクロコンピュータ１１１は、リレー記録による記録先の記録媒体となる２つのメモリカードが、両者とも無線機能付メモリカードであるか否かを判定する。そして、２つとも無線機能付きメモリカードであった場合はステップＳ５０４へ、一方、または両方とも無線機能付きメモリカードでなかった場合はステップＳ５０５へそれぞれ処理が遷移する。
【００２７】
ステップＳ５０４において、マイクロコンピュータ１１１は、リレー記録を行う記録媒体間で送信先が一致しているか否かを判定する。送信先が不一致の場合、処理はステップＳ５０５へ進み、マイクロコンピュータ１１１は、リレー記録の実行中における無線付メモリカードの無線機能を用いたデータの送信を禁止する無線通信禁止処理を実行する。一方、送信先が一致している場合、処理はステップＳ５０６へ進み、マイクロコンピュータ１１１は、リレー記録の実行中における無線機能付メモリカードの無線機能を用いたデータの送信を許可する、無線通信許可処理を行う。以上のようにして、無線機能の利用の可否が決定されると、本処理が終了する（ステップＳ５０７）。
【００２８】
以上の処理によれば、無線通信が許可されるステップＳ５０６に処理が遷移してくるのは以下のいずれかの場合であり、これら以外ではステップＳ５０５によって無線通信が禁止される。
・リレー記録がＯＦＦのとき。
・リレー記録がＯＮであり、第１の媒体装着部、第２の媒体装着部に装着されているメモリカードが所定の条件を満足するとき。ここで、所定の条件とは、２つのメモリカードが無線機能付きであり、且つそれらメモリカードの無線通信機能によるデータの送信先が一致している、ことである。
【００２９】
よって、リレー記録がＯＮで２つのメモリカードの送信先が不一致である場合、或いは、リレー記録がＯＮで２つのメモリカードの一方或いは両方が無線機能を有していない場合には、上記の条件が満足されない。このように、条件が満足されない場合は、ステップＳ５０５において無線通信機能が禁止される。なお、リレー記録は２つの記録媒体間で行われる場合を説明してきたが、３つ以上の記録媒体を利用する場合にも適用できる事は明らかである。また、ステップＳ５０５において、マイクロコンピュータ１１１は表示部である液晶パネル１０７に、無線通信が禁止されている旨を表示するようにしてもよい。
【００３０】
以上説明してきたように第１実施形態によれば、２つ以上の無線機能付きの記録媒体にリレー記録された圧縮ビデオデータが異なるサーバに転送されてしまうことを防ぐことができる。
【００３１】
（第２実施形態）
第１実施形態では、「リレー記録がＯＦＦのとき」または「リレー記録がＯＮであり、２つのメモリカードが無線機能付きであり、且つそれらメモリカードによるデータの送信先が一致しているとき」に、無線通信機能の実行を許可するようにした。しかしながら、本発明はこのような条件に限定されるものではない。たとえば、ユーザ操作によって無線通信機能の許可／禁止を選択する無線通信メニュー（ユーザインターフェース：ＵＩ）を設け、無線通信メニューで無線通信機能が許可となっていることを更なる条件として加わえてもよい。第２実施形態では、そのような構成、機能を実現するマイクロコンピュータ１１１の処理について説明する。
【００３２】
図６は、第２実施形態によるマイクロコンピュータ１１１の処理を説明するフローチャートである。ステップＳ５０１からＳ５０７は図５と同じ処理である。但しステップＳ５０２でリレー記録設定がＯＦＦと判定された場合、及びステップＳ５０４で無線機能付きメモリカードの送信先が一致すると判定された場合は、処理はステップ６０８に遷移する。
【００３３】
ステップ６０８において、マイクロコンピュータ１１１は、無線通信メニューによって無線通信の許可／禁止のいずれが設定されているかを判定する。無線通信メニューにおいて無線通信機能の禁止が設定されている場合は無線機能を禁止するべくステップＳ５０５へ処理が進み、無線通信の許可が設定されている場合は無線機能を許可するべくステップＳ５０６へ処理が進む。
【００３４】
以上説明してきたように第２実施形態によれば、リレー記録において、２つの無線付メモリカードの送信先が一致していてもユーザが無線通信を許可していなければデータの送信は禁止される。すなわち、第２実施形態では、ユーザの操作により無線通信機能の許可／禁止を設定するユーザインターフェースを設け、無線通信機能の禁止が設定されていた場合は、所定の条件に関する判定の結果に関わらず記録媒体による無線通信機能の実行が禁止される。そのため、不用意にデータが転送されることを防ぐことができる。
【００３５】
また、無線通信メニューによって無線通信機能が許可に設定されている場合に、リレー記録の許可、禁止を制御するようにしても良い。たとえば、無線通信メニューで無線通信機能が許可されている場合に、リレー記録機能がＯＮとなっていたら、２つの記録媒体の送信先が一致しているか否かを判定し、否であればリレー記録を禁止する。この場合、例えばステップＳ６０８の判定をステップＳ５０２の前に実行する。そして、無線通信メニューにより無線通信機能が許可されていればステップＳ５０２以降の処理を実行し、無線通信機能が禁止されていればステップＳ５０５に処理を進めるようにすればよい。
【００３６】
（第３実施形態）
第３実施形態では、複数の無線付メモリカードの送信先が異なっている場合に、それらの送信先を自動的に一致させて、リレー記録されたビデオデータをサーバに無線転送する制御について説明する。以下では、上述した各実施形態と同様に、メモリカードが２枚装着されている場合を例として説明する。
【００３７】
図７は、第３実施形態によるマイクロコンピュータ１１１の処理を説明するフローチャートである。ステップＳ５０１からＳ５０７は図５と同じ処理である。但しステップＳ５０４において、２つのメモリカードで送信先が不一致と判定された場合、処理はステップ７０９へ進む。ステップＳ７０９において、マイクロコンピュータ１１１は、一方のメモリカードの送信先をもう一方のメモリカードに設定されている送信先に変更する。例えば先に記録される方の送信先を、リレー後に記録されるメモリカードに設定する。このステップによってリレー記録で使われる無線メモリカードの送信先が一致する。従って、その後のステップ５０６において、マイクロコンピュータ１１１は、無線通信を許可し、リレー記録されるビデオデータが同一のサーバに転送されることとなる。
【００３８】
以上説明してきたように第３実施形態によれば、複数の無線機能付の記録媒体の送信先が異なっている場合であっても、圧縮ビデオデータが別個の送信先（サーバ）に送信されてしまうことなく、サーバへのデータ送信が可能となる。なお、ステップＳ７０９において送信先が変更される際に、液晶パネル１０７への表示等によりユーザにその旨を通知するようにしても良い。また、送信先を変更したメモリカードは、リレー記録の完了後に元の送信先に戻しても良い。
【００３９】
なお、上記各実施形態では、リレー記録されるデータとしてビデオデータ（＋音声データ）を例示して説明したが、これに限られるものではない。たとえば、音声データのみがリレー記録の対象であってもよく、その場合は録音機能のみを有するデータ記録装置に適用することも可能である。要は、連続して扱われるべきデータを複数の記録媒体によりリレー記録する装置であれば、そのリレー記録の対象となるデータの種類はいかなるものであってもよい。
【００４０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013030847.tif 000003
【図２】
2013030847.tif 000004
【図３】
2013030847.tif 000005
【図４】
2013030847.tif 000006
【図５】
2013030847.tif 000007
【図６】
2013030847.tif 000008
【図７】
2013030847.tif 000009